(57)【要約】【課題】非常用電源ユニットを器具本体内で安定に支持する。【解決手段】照明器具１は、常用照明装置と、非常用照明装置３と、器具本体１０とを備える。常用照明装置は、常用照明を行う。非常用照明装置３は、非常用照明を行う。器具本体１０は、常用照明装置及び非常用照明装置３を収容する。非常用照明装置３は、非常用光源ユニット４と、非常用電源ユニット５と、支持部材（押さえ具８）とを含む。非常用電源ユニット５は、非常用光源ユニット４を点灯するための電力を蓄える蓄電池を有する。支持部材は、弾性を有し、器具本体１０に収容された非常用電源ユニット５を支持する位置と非常用電源ユニット５の支持を開放する位置との間を、弾性変形によって変位する。【選択図】図１
2018110062.tif 000002
【特許請求の範囲】
【請求項１】
常用照明を行う常用照明装置と、
非常用照明を行う非常用照明装置と、
前記常用照明装置及び前記非常用照明装置を収容する器具本体とを備え、
前記非常用照明装置は、
非常用光源ユニットと、
前記非常用光源ユニットを点灯するための電力を蓄える蓄電池を有する非常用電源ユニットと、
弾性を有し、前記器具本体に収容された前記非常用電源ユニットを支持する位置と前記非常用電源ユニットの支持を開放する位置との間を、弾性変形によって変位する支持部材とを含む
ことを特徴とする照明器具。
【請求項２】
前記器具本体は、
前記非常用電源ユニットが取り付けられている取付部と、
前記取付部と対向する位置に形成された開口部とを有し、
前記非常用照明装置は、前記取付部と前記開口部とが対向する方向に沿って前記取付部から突出する突出部材を更に含む
ことを特徴とする請求項１記載の照明器具。
【請求項３】
前記突出部材は、
基部と、
前記基部の先端から外側に向かって傾斜する先端部と
を有することを特徴とする請求項２記載の照明器具。
【請求項４】
前記非常用電源ユニット及び前記支持部材は、前記器具本体において隣接して配置されており、
前記支持部材は、前記非常用電源ユニット側に突出する凸形状を有する板ばねである
ことを特徴とする請求項１〜３のいずれか１項に記載の照明器具。
【請求項５】
前記器具本体は、
前記非常用電源ユニットが取り付けられている取付部と、
前記取付部と対向する位置に形成された開口部とを有し、
前記非常用電源ユニットは、前記器具本体に前記非常用電源ユニットが取り付けられたときに前記取付部と前記開口部との間に位置する突部を含み、
前記支持部材は、前記突部に接触することによって前記非常用電源ユニットを支持する
ことを特徴とする請求項１〜４のいずれか１項に記載の照明器具。
【請求項６】
前記支持部材は、
主片と、
前記主片に対して変位可能となるように前記主片に設けられた引掛片とを有し、
前記引掛片は、
前記器具本体に配置された前記非常用電源ユニットに接触する接触部と、
前記接触部と前記主片とを連結する連結部とを有する
ことを特徴とする請求項１〜５のいずれか１項に記載の照明器具。
【請求項７】
前記非常用照明装置は、前記蓄電池から放電される電力で前記非常用光源ユニットを点灯する制御装置を更に含み、
前記非常用電源ユニット及び前記制御装置は、前記器具本体の一の方向に並んで前記器具本体に収容されており、
前記非常用電源ユニットは、前記制御装置と電気的に接続するためのコネクタを有し、
前記支持部材は、前記一の方向において、前記非常用電源ユニットを挟んで前記コネクタの反対側で前記非常用電源ユニットを支持する
ことを特徴とする請求項１〜６のいずれか１項に記載の照明器具。
【請求項８】
前記支持部材は、前記一の方向において、前記非常用電源ユニットの前記コネクタと対角の位置で前記非常用電源ユニットを支持することを特徴とする請求項７記載の照明器具。
【発明の詳細な説明】
【技術分野】
【０００１】
本発明は、照明器具に関し、より詳細には、常用照明と非常時照明とを行う照明器具に関する。
【背景技術】
【０００２】
従来例として、特許文献１に記載された照明器具を例示する。この従来例は、器具本体と、常用照明用の常用光源ユニットと、非常時照明用の非常用照明装置とを備えている。器具本体は、下面が開口する長尺かつ矩形の箱形に形成されている。常用光源ユニットは、複数のＬＥＤモジュールと、各ＬＥＤモジュールが取り付けられる取付部材と、各ＬＥＤモジュールを覆うようにして取付部材に取り付けられるカバーと、各ＬＥＤモジュールを点灯する電源装置とを備えている。常用光源ユニットは、器具本体の下面からカバーを露出するようにして器具本体内に収容される。
【０００３】
非常用照明装置は、非常用光源ユニットと、制御装置とを備える。非常用光源ユニットは、ＬＥＤモジュール、レンズ、カバー、ベース、非常用電源（蓄電池）などを備える。ＬＥＤモジュールの前方にレンズが配置される。カバーは、レンズを前方に露出するようにしてＬＥＤモジュールの前方に配置される。非常用電源は、ＬＥＤモジュールの後方に配置されている。制御装置は、常用電源から供給される電力で非常用電源を充電する充電回路と、常用電源の停電時に非常用電源を電源としてＬＥＤモジュールを点灯させる非常用電源回路とを備える。また、制御装置は、点検スイッチによる操作入力を受け取って点検動作を行う制御回路を備える。常用電源は、例えば、常用光源ユニットの電源装置に給電する電源（商用の交流電源）である。
【０００４】
特許文献１に記載された照明器具において、非常用電源は、非常用光源ユニットのベースと器具本体の底板とに囲まれた電源収容部内に挿入されることによって、器具本体に収容される。
【先行技術文献】
【特許文献】
【０００５】
【特許文献１】特開２０１６−１３４２０８号公報
【発明の概要】
【発明が解決しようとする課題】
【０００６】
しかしながら、特許文献１に記載された照明器具では、上述したように、非常用電源を器具本体に取り付けたり、器具本体から取り外したりする際に、非常用電源を器具本体内で安定に支持することが要望されている。
【０００７】
本発明は上記の点に鑑みてなされた発明であり、本発明の目的は、非常用電源ユニットを器具本体内で安定に支持することができる照明器具を提供することにある。
【課題を解決するための手段】
【０００８】
本発明の一態様に係る照明器具は、常用照明装置と、非常用照明装置と、器具本体とを備える。前記常用照明装置は、常用照明を行う。前記非常用照明装置は、非常用照明を行う。前記器具本体は、前記常用照明装置及び前記非常用照明装置を収容する。前記非常用照明装置は、非常用光源ユニットと、非常用電源ユニットと、支持部材とを含む。前記非常用電源ユニットは、前記非常用光源ユニットを点灯するための電力を蓄える蓄電池を有する。前記支持部材は、弾性を有し、前記器具本体に収容された前記非常用電源ユニットを支持する位置と前記非常用電源ユニットの支持を開放する位置との間と、弾性変形によって変位する。
【発明の効果】
【０００９】
本発明の一態様に係る照明器具によれば、非常用電源ユニットを器具本体内で安定に支持することができる。
【図面の簡単な説明】
【００１０】
【図１】図１は、本発明の一実施形態に係る照明器具の一部省略した下面図である。
【図２】図２は、同上の照明器具の分解斜視図である。
【図３】図３Ａは、同上の照明器具の正面図である。図３Ｂは、同上の照明器具の平面図である。図３Ｃは、同上の照明器具の左側面図である。
【図４】図４は、同上の照明器具における非常用照明装置の斜視図である。
【図５】図５Ａは、同上の非常用照明装置の正面図である。図５Ｂは、同上の非常用照明装置の平面図である。図５Ｃは、同上の非常用照明装置の右側面図である。
【図６】図６Ａは、同上の非常用照明装置の背面図である。図６Ｂは、同上の非常用照明装置の下面図である。
【図７】図７は、同上の非常用照明装置の分解斜視図である。
【図８】図８は、同上の非常用照明装置の断面図である。
【図９】図９は、同上の非常用照明装置の分解斜視図である。
【図１０】図１０は、同上の照明器具における非常用光源ユニット及び制御装置の分解斜視図である。
【図１１】図１１は、同上の照明器具における非常用電源ユニットの分解斜視図である。
【図１２】図１２は、同上の照明器具の一部省略した分解斜視図である。
【図１３】図１３Ａは、同上の照明器具における押さえ具の正面図である。図１３Ｂは、同上の押さえ具の平面図である。
【図１４】図１４は、同上の照明器具において非常用電源ユニットが器具本体に取り付けられる前の下面図である。
【発明を実施するための形態】
【００１１】
以下、実施形態に係る照明器具について、図面を参照して詳細に説明する。本実施形態に係る照明器具１は、例えば、執務室などの天井に直付けされる天井直付け形の照明器具である。ただし、照明器具１は、天井埋込形の照明器具や壁に取り付けられる照明器具であってもよい。なお、以下の実施形態で説明する構成は本発明の一例にすぎない。本発明は、以下の実施形態に限定されず、本発明の効果を奏することができれば、設計等に応じて種々の変更が可能である。
【００１２】
本実施形態に係る照明器具１は、図２及び図３Ａ〜図３Ｃに示すように、常用照明を行う常用照明装置２と、非常用照明を行う非常用照明装置３と、常用照明装置２及び非常用照明装置３を収容する器具本体１０とを備えている。なお、以下の説明では、特に断りのない限り、図２に示す向きにおいて、照明器具１の上下、左右及び前後の各方向を規定する。
【００１３】
器具本体１０は、金属材料によって長尺の箱形に形成されている。器具本体１０は、長尺の矩形平板状の天板（取付部）１１と、天板１１の長手方向（左右方向）に沿った２つの端縁のそれぞれから下向きに突出する一対の第１側板１２とを有している。器具本体１０は、さらに、天板１１の短手方向（前後方向）に沿った２つの端縁のそれぞれから下向きに突出する一対の第２側板１３を有している。さらに、器具本体１０は、天板１１に対向する下面に開口部（開口面）１５を有している。天板１１は、その左右方向におけるほぼ中央に、電線を通すための孔１１０を有している。また、天板１１は、その左右方向における両端寄りの位置に吊りボルトを通すための一対の孔１１１を有している（図２参照）。さらに、天板１１の下面には、孔１１０から引き込まれる電線が結線される端子台１４が取り付けられている。さらに、天板１１には、非常用電源ユニット５、制御装置６及び押さえ具８が取り付けられる。言い換えると、非常用電源ユニット５、制御装置６及び押さえ具８は、天板１１の長手方向すなわち器具本体１０の長手方向（一の方向）に並んで取り付けられる。なお、非常用電源ユニット５、制御装置６及び押さえ具８が器具本体１０に取り付けられるとは、非常用電源ユニット５、制御装置６及び押さえ具８が器具本体１０に直接取り付けられる場合に限らず、他の部材を介して器具本体１０に取り付けられる場合も含む。
【００１４】
常用照明装置２は、常用光源と、常用光源が取り付けられる取付部材２１と、常用光源を覆う透光カバー２０と、常用光源を点灯する電源装置とを備えている。常用光源は、長尺の基板と、基板の表面に実装される多数のＬＥＤ（light emitting diode）とを有している。取付部材２１は、金属材料によって長尺の樋状に形成されている。取付部材２１は、長尺の矩形板状に形成された底板と、底板の短手方向（前後方向）における両端から上向きに立ち上がる一対の側板２１０とを有している。常用光源は、取付部材２１の底板の下面に取り付けられる。電源装置は、端子台１４を介して常用電源（例えば、商用の交流電源）から供給される交流電力を直流電力に変換するように構成されている。電源装置は、取付部材２１の底板の上面に取り付けられる。常用光源と電源装置は、底板に設けられた挿通孔に挿通される電線によって電気的に接続される。常用光源は、電線を介して電源装置から直流電力が供給されることによって点灯する。
【００１５】
透光カバー２０は、アクリル樹脂やポリカーボネート樹脂などの透光性を有する合成樹脂材料により上面が開口する長尺の箱形に形成されている。透光カバー２０の下面は、短手方向（前後方向）において両端から中央に向かってなだらかに下向きに突出する曲面形状に形成されている（図２参照）。なお、透光カバー２０を形成する合成樹脂材料には、拡散材が混入されている。すなわち、常用光源から放射される光は、透光カバー２０を透過する際に拡散される。
【００１６】
常用照明装置２は、透光カバー２０を除く部分（取付部材２１の一対の側板２１０及び電源装置など）を器具本体１０に収容し、透光カバー２０を器具本体１０の開口部１５から下向きに突出させるようにして器具本体１０に取り付けられる（図３Ａ〜図３Ｃ参照）。また、常用照明装置２は、器具本体１０の開口部１５の大部分を透光カバー２０で塞ぐようにして器具本体１０に着脱可能に取り付けられる（図３Ａ〜図３Ｃ参照）。ここで、器具本体１０は、常用照明装置２の取付部材２１と天板１１との間に空間を形成している。そして、常用照明装置２の電源装置が器具本体１０の上記空間に配置される。
【００１７】
次に、非常用照明装置３について、図面を参照して詳細に説明する。
【００１８】
非常用照明装置３は、非常用光源ユニット４と、非常用電源ユニット５と、制御装置６と、カバー７と、押さえ具８（支持部材）とを備えている（図１〜図９参照）。
【００１９】
非常用光源ユニット４は、図８及び図９に示すように、ＬＥＤモジュール４０と、ホルダ４１と、一対の端子板４２と、放熱シート４３と、レンズ４４とを有している。非常用光源ユニット４は、非常時に点灯するように構成されている。ＬＥＤモジュール４０は、矩形平板状の実装基板４００の中央に少なくとも１個のＬＥＤチップが実装されて構成されている。ＬＥＤチップは、例えば、青色光を放射する青色発光ダイオードであることが好ましい。また、ＬＥＤチップを含む実装基板４００の実装面（下面）は、ＬＥＤチップから放射される青色光を波長変換する蛍光物質が混入された封止樹脂４０１で封止されている（図９参照）。さらに、実装基板４００は、その対角の位置にある一対の角部の下面にそれぞれ電極を有している。一方の電極は、ＬＥＤチップのカソードと電気的に接続されており、他方の電極は、ＬＥＤチップのアノードと電気的に接続されている。さらに、これら一対の電極は、一対の端子板４２に対応しており、各電極は、一対の端子板４２のうちの対応する端子板４２と電気的に接続されている。
【００２０】
レンズ４４は、例えば、ガラス製であって、レンズ本体４４０と、レンズ本体４４０の周縁から外向きに突出する環状の外鍔部４４１とを有している（図９参照）。レンズ４４は、非球面形状の入射面４４２及び出射面４４３を有し（図８参照）、いわゆるバットウイング（batwing）状の配光特性を実現する広角配光レンズであることが好ましい。ただし、レンズ４４は、ガラス繊維が混入されることで耐熱性（難燃性）が向上された合成樹脂材料（例えば、ポリカーボネート樹脂など）で形成されてもよい。
【００２１】
放熱シート４３は、高熱伝導率、電気絶縁性及び難燃性を有するシリコーン樹脂製のシート材で構成されることが好ましい。放熱シート４３は、ＬＥＤモジュール４０の実装基板４００の上面に接触している。
【００２２】
ホルダ４１は、ポリカーボネート樹脂などの合成樹脂材料により、上下方向から見て、おおよそ菱形に形成されることが好ましい（図９参照）。ホルダ４１は、ＬＥＤモジュール４０の発光面（下面）にレンズ４４のレンズ本体４４０を重ねるようにして、ＬＥＤモジュール４０とレンズ４４とを保持している。また、ホルダ４１は、端子板保持部４１０を有している。端子板保持部４１０は、上向きに伸びた角筒状に形成され、一対の端子板４２を内部に収容して保持している（図８及び図９参照）。
【００２３】
非常用電源ユニット５は、図１１に示すように、非常用光源ユニット４に電力を供給するための乾電池型の複数（図示例では５本）の蓄電池５０と、これら複数の蓄電池５０を収容する合成樹脂材料製のケース５１と、第１導体５４と、第２導体５５とを備えている。非常用電源ユニット５は、器具本体１０の天板１１に取り付けられる。
【００２４】
ケース５１は、ケースボディ５２とケースカバー５３とを有する。ケースボディ５２は、矩形の底壁５２０と、底壁５２０の前後両端縁から下向きに突出する一対の第１側壁５２１とを有している。また、ケースボディ５２は、底壁５２０の右側の端縁から下向きに突出する第２側壁５２２と、底壁５２０の左側の端縁から下向きに突出する第３側壁５２３とを有している。ただし、第３側壁５２３は、一対の第１側壁５２１及び第２側壁５２２よりも上下方向の高さを高くするように形成されている。
【００２５】
底壁５２０は、その下面から下向きに突出する５つの突台部５２６を有している。これら５つの突台部５２６は、底壁５２０の下面において左右方向に並んでいる。また、各突台部５２６の下面は、半円筒面形状に形成されている。各突台部５２６の下面に蓄電池５０が１本ずつ載せられて支持される（図８参照）。ただし、５つの突台部５２６のうちで左端の突台部５２６は、他の４つの突台部５２６よりも下方に位置している。
【００２６】
一対の第１側壁５２１の各々は、一対の突片５２１０を有している。一対の突片５２１０は、矩形の板状に形成されており、第１側壁５２１の下端から下に突出している。また、各突片５２１０は、その先端（下端）に、三角柱状の爪５２１１を有している。ただし、前方の第１側壁５２１が有する各突片５２１０の爪５２１１は前方へ突出し、後方の第１側壁５２１が有する各突片５２１０の爪５２１１は後方へ突出している。
【００２７】
ケースボディ５２は、突部５２４を更に有している。突部５２４は、第２側壁５２２の右側面における後端から右向きに突出している。突部５２４は、おおよそ直方体状に形成されている。突部５２４は、器具本体１０に非常用電源ユニット５が取り付けられたときに器具本体１０の開口部１５と天板１１との間に位置するように形成されている。ただし、突部５２４の右下の辺は、凸曲面形状に形成されることが好ましい。
【００２８】
第３側壁５２３は、矩形の板状に形成されている。第３側壁５２３は、その左側面における前方の下部に、端子保持部５２７を有している。端子保持部５２７は、軸方向を上下方向に一致させた角筒状に形成されている。また、端子保持部５２７内の空間は、隔壁５２７０によって２つに区切られている（図１１参照）。また、端子保持部５２７は、その前面における上端部分に、矩形板状のガイド片５２７１を有している。ガイド片５２７１は、厚み方向を左右方向に一致させるようにして端子保持部５２７の前面から前方へ突出している。
【００２９】
ケースカバー５３は、矩形の第１底壁５３０と、第１底壁５３０の左側の端縁から左斜め下向きに突出する矩形の第１側壁５３１と、第１底壁５３０及び第１側壁５３１の前後両端縁から上向きに突出する一対の第２側壁５３２とを有している。図１１では、一対の第２側壁５３２のうちの１つのみを図示している。また、ケースカバー５３は、第１底壁５３０の右側の端縁から上向きに突出する第３側壁５３３と、第１側壁５３１の左側の端縁から左向きに突出する第２底壁５３４とを有している。
【００３０】
一対の第２側壁５３２の各々は、一対の貫通孔５３２０を有している。また、前方の第２側壁５３２は、階段状に形成されている。
【００３１】
第３側壁５３３は、突片５３３０を有している。突片５３３０は、第３側壁５３３の後端寄りの上端から上に突出している。また、突片５３３０は、その先端（上端）に、三角柱状の爪５３３１を有している。爪５３３１は、突片５３３０の上端における右側面から右方へ突出している。
【００３２】
第２底壁５３４は、矩形の板状に形成されている。第２底壁５３４は、その前方左端に蓋部５３５を有している。蓋部５３５は、左右方向から見た形状がＵ字状となるように形成されている。
【００３３】
５本の蓄電池５０は、乾電池型を有しており、非常用光源ユニット４を点灯させるための電力を蓄えている。各蓄電池５０は、例えばニッケル水素電池である。５本の蓄電池５０は、各々の径方向に沿って互い違いに並ぶように配置される。右端の蓄電池５０の負極端子に、第１導体５４の一端部（右端部）が電気的に接続される。また、左端の蓄電池５０の正極端子に、第２導体５５の一端部（右端部）が電気的に接続される。右端の蓄電池５０の正極端子と、右から２番目の蓄電池５０の負極端子とが導体板５６によって電気的に接続される。右から２番目の蓄電池５０の正極端子と、右から３番目の蓄電池５０の負極端子とが導体板５６によって電気的に接続される。左端の蓄電池５０の負極端子と、左から２番目の蓄電池５０の正極端子とが導体板５６によって電気的に接続される。右から３番目の蓄電池５０の正極端子と、左から２番目の蓄電池５０の負極端子とが導体板５６によって電気的に接続される。つまり、５本の蓄電池５０は、４枚の導体板５６によって電気的に直列接続されている。
【００３４】
第１導体５４は、金属板によってＳ字状に形成されている（図１１参照）。第１導体５４の長手方向の一端部（右端部）が右端の蓄電池５０の負極端子と電気的に接続される。第１導体５４は、その長手方向の他端部（左端部）に第１コンタクト５７を有している。第１コンタクト５７は、角筒状の枠体５７０と、枠体５７０内に収容されるばね体とを有している。ばね体は、枠体５７０の上端に結合されており、枠体５７０内において左右方向に撓み可能となるように枠体５７０と一体に形成されている。第１導体５４は、上側の第１側壁５２１及び第３側壁５２３に沿ってケースボディ５２内に収容される。また、第１コンタクト５７は、端子保持部５２７内の２つの空間のうちで隔壁５２７０の上側の空間に収容される。
【００３５】
第２導体５５は、金属板によってＳ字状に形成されている。第２導体５５は、その長手方向の一端部（右端部）が左端の蓄電池５０の正極端子と電気的に接続される。第２導体５５は、その長手方向の他端部（左端部）に第２コンタクト５８を有している。第２コンタクト５８は、角筒状の枠体と、枠体内に収容されるばね体とを有している。ばね体は、枠体の上端に結合され、枠体内において左右方向に撓み可能となるように枠体と一体に形成されている。第２導体５５は、下側の第１側壁５２１及び第３側壁５２３に沿ってケースボディ５２内に収容される。また、第２コンタクト５８は、端子保持部５２７内の２つの空間のうちで隔壁５２７０の下側の空間に収容される。
【００３６】
ケースボディ５２にケースカバー５３が結合されることによってケース５１が組み立てられる（図９参照）。ケースボディ５２が有する４つの突片５２１０がそれぞれ、ケースカバー５３が有する４つの貫通孔５３２０のうちの対応する貫通孔５３２０に挿入される。さらに、ケースカバー５３が有する突片５３３０が、ケースボディ５２の突部５２４に設けられている貫通孔５２４０に挿入される。そして、突片５２１０、５３３０の先端に設けられている爪５２１１、５３３１が、貫通孔５３２０、５２４０の縁にそれぞれ引っ掛かることでケースボディ５２とケースカバー５３とが結合される。なお、ケースボディ５２の端子保持部５２７の下側の開口部は、ケースカバー５３の蓋部５３５が被さることで閉じられる（図９参照）。
【００３７】
上記のような構成を有する非常用電源ユニット５において、第１コンタクト５７、第２コンタクト５８及び端子保持部５２７は、非常用電源ユニット５のコネクタ５９を構成する。コネクタ５９は、制御装置６と電気的に接続するために設けられている。すなわち、コネクタ５９は、天板１１と開口部１５とが対向する方向（対向方向）において、制御装置６の受け側コネクタ６４（後述）と挿抜されるように構成されている。コネクタ５９は、器具本体１０に非常用電源ユニット５が取り付けられたときに、突出部５１１から器具本体１０の長手方向（一の方向）に突出するように設けられている。また、コネクタ５９は、器具本体１０に非常用電源ユニット５が取り付けられたときに、対向方向と器具本体１０の長手方向（一の方向）との両方に直交する方向において器具本体１０内のうち中央部よりも第１側板１２側に位置している。
【００３８】
また、図１に示すように、非常用電源ユニット５において、ケース５１は、器具本体１０に非常用電源ユニット５が取り付けられたときに、その少なくとも一部が器具本体１０の開口部１５から器具本体１０の外へ突出する。つまり、非常用電源ユニット５の少なくとも一部は、器具本体１０に非常用電源ユニット５が取り付けられたときに、天板１１と開口部１５とが対向する方向において、器具本体１０の開口部１５から器具本体１０の外へ突出する。より詳細には、ケース５１は、器具本体１０の開口部１５から器具本体１０の外へ突出する突出部５１１を有している。
【００３９】
本実施形態においては、非常用電源ユニット５における開口部１５から器具本体１０の外へ突出する部分すなわち突出部５１１は、非常用電源ユニット５のうちコネクタ５９が位置する側に設けられている。
【００４０】
制御装置６は、複数の蓄電池５０を充電し、かつ、複数の蓄電池５０から放電される電力で非常用光源ユニット４を点灯するように構成されている。制御装置６は、図１０に示すように、第１回路ブロック６０、第２回路ブロック６１、筐体６２及び放熱板６３を備えている。第１回路ブロック６０は、矩形板状の第１プリント配線板６００、複数種類の電子部品６０１、受け側コネクタ６４、入力端子台６０３、出力コネクタ６０２及び第１コネクタ６０４を有している。複数種類の電子部品６０１のうちでリード付きの電子部品６０１が第１プリント配線板６００の下面（部品面）に挿入実装されている。また、複数種類の電子部品６０１のうちで表面実装型の電子部品が第１プリント配線板６００の上面（はんだ面）に表面実装されている（図８参照）。ただし、第１プリント配線板６００の部品面には、受け側コネクタ６４、入力端子台６０３、出力コネクタ６０２及び第１コネクタ６０４も挿入実装されている。
【００４１】
出力コネクタ６０２は、一対のコンタクト６０２０を有している（図１０参照）。出力コネクタ６０２の各コンタクト６０２０は、非常用光源ユニット４の一対の端子板４２のうちの対応する端子板４２と接触して導通する。
【００４２】
受け側コネクタ６４は、第１コンタクト受け６４１と、第２コンタクト受け６４２と、ベース６４０とを有している（図１０参照）。ベース６４０は、電気絶縁性を有した合成樹脂材料によって矩形の板状に形成されている。第１コンタクト受け６４１及び第２コンタクト受け６４２は棒状に形成されて、ベース６４０を厚み方向に貫通した状態でベース６４０に支持されている。第１コンタクト受け６４１は、非常用電源ユニット５の第１コンタクト５７の枠体５７０内に挿入された状態において、枠体５７０内のばね体によって枠体５７０に押し付けられることで第１コンタクト５７と電気的に接続される。第２コンタクト受け６４２は、非常用電源ユニット５の第２コンタクト５８の枠体内に挿入された状態において、枠体内のばね体によって枠体に押し付けられることで第２コンタクト５８と電気的に接続される。
【００４３】
第１回路ブロック６０は、第１プリント配線板６００に形成されているプリント配線と、第１プリント配線板６００の部品面及びはんだ面に実装されている複数種類の電子部品６０１とで構成されたプリント回路を有している（図８及び図１０参照）。第１回路ブロック６０のプリント回路は、例えば、直流電源回路、充電回路、点灯回路、停電検出回路、制御回路を含んでいる。直流電源回路は、例えば、リンギングチョークコンバータなどの自励型のスイッチング電源回路で構成され、常用電源から入力端子台６０３に入力される交流電圧を直流電圧に変換するように構成されている。充電回路は、常用電源から給電されているときに受け側コネクタ６４を通して一定の充電電流を出力するように構成されている。点灯回路は、非常用電源ユニット５から受け側コネクタ６４に入力される直流電流を定電流化し、定電流化した直流電流を出力コネクタ６０２より非常用光源ユニット４に供給するように構成されている。停電検出回路は、直流電源回路の出力電圧に基づいて常用電源の停電を検出して制御回路に通知するように構成されている。制御回路は、停電検出回路が常用電源の停電を検出していないときに充電回路を動作させ、かつ、点灯回路を停止させるように構成されている。また、制御回路は、停電検出回路が常用電源の停電を検出しているときに充電回路を停止させ、かつ、点灯回路を動作させるように構成されている。
【００４４】
第２回路ブロック６１は、矩形板状の第２プリント配線板６１０、２つの押釦スイッチ６１１、６１２、表示素子６１３、受光素子６１４並びに第２コネクタ６１５を有している（図１０参照）。第２コネクタ６１５は、第２プリント配線板６１０の下面における長手方向の一端（前端）に実装されている。一方の押釦スイッチ６１１は、第２プリント配線板６１０の下面における第２コネクタ６１５の後方に実装されている。他方の押釦スイッチ６１２は、第２プリント配線板６１０の下面における長手方向の他端（後端）に実装されている。表示素子６１３は、例えば、緑色光を放射するＬＥＤチップを有している。表示素子６１３は、第２プリント配線板６１０の下面における押釦スイッチ６１２の前方に実装されている。受光素子６１４は、赤外線を通信媒体とする制御信号を受信し、受信した制御信号から送信フレームを復調するように構成されている。この制御信号は、定期点検の作業を行う作業者に操作されるリモートコントローラから送信される。受光素子６１４は、第２プリント配線板６１０の下面における表示素子６１３と押釦スイッチ６１１の間に実装されている。第２コネクタ６１５は、例えば、ケーブルによって第１回路ブロック６０の第１コネクタ６０４と電気的に接続される。第１回路ブロック６０の制御回路は、ケーブルを通して各押釦スイッチ６１１、６１２の操作状態（オン及びオフ）を監視するように構成されている。また、制御回路は、受光素子６１４で復調される制御信号の送信フレームをケーブルを通して受け取るように構成されている。さらに、制御回路は、第１回路ブロック６０の充電回路が動作している場合、ケーブルを通して表示素子６１３に電流を流すことで表示素子６１３を発光させるように構成されている。
【００４５】
なお、制御回路は、一方の押釦スイッチ６１１がオンされた場合、及び受光素子６１４から送信フレームを受け取った場合に定期点検動作を行うように構成されている。定期点検動作を行う制御回路は、充電回路を停止させ、かつ、点灯回路を動作させる。さらに、制御回路は、他方の押釦スイッチ６１２がオンされた場合、自己点検動作を行うように構成されている。自己点検動作を行う制御回路は、充電回路を停止するとともに点灯回路を数秒間動作させた後、再度、点灯回路を停止させ、かつ、充電回路を動作させる。ただし、制御回路は、自己点検動作を行うように指示する送信フレームを受光素子６１４から受け取った場合も自己点検動作を行うように構成されることが好ましい。
【００４６】
筐体６２は、第１筐体６２０と第２筐体６２１を有している。第１筐体６２０は、底部６２００と、側壁部６２０１とを有している。底部６２００は、おおよそ矩形の箱形に形成されている。底部６２００は、第１回路ブロック６０の第１プリント配線板６００のはんだ面を厚み方向（上下方向）から支持するように構成されている。側壁部６２０１は、板状に形成されている。側壁部６２０１は、ヒンジを介して底部６２００に連結されている。ゆえに、側壁部６２０１は、ヒンジを軸にして底部６２００に対して回転可能となるように構成されている。また、側壁部６２０１は、第２回路ブロック６１の第２プリント配線板６１０の長手方向に沿った端部（左端部）を厚み方向から挟んで支持するように構成されている。
【００４７】
第２筐体６２１は、上面及び左側面が開放された箱状に形成されている。第２筐体６２１は、第１筐体６２０と結合される。第２筐体６２１の上面は、第１筐体６２０の底部６２００によって閉じられる。また、第２筐体６２１の左側面は、第１筐体６２０の側壁部６２０１によって閉じられる（図８参照）。
【００４８】
第２筐体６２１は、下面の左端から下方へ突出する突台部６２１０を有している（図１０参照）。突台部６２１０は、おおよそ角錐台状に形成されている。突台部６２１０は、２つの操作部材（第１操作部材６２１４及び第２操作部材６２１５）を有している。第１操作部材６２１４は、突台部６２１０の下面における前端に設けられている。また、第２操作部材６２１５は、突台部６２１０の下面における後端に設けられている。第１操作部材６２１４及び第２操作部材６２１５は、突台部６２１０の下面に対して上下方向に移動可能となるように構成されている。つまり、上向きに押された第１操作部材６２１４が押釦スイッチ６１１の押釦を押すことにより、押釦スイッチ６１１がオンする。また、上向きに押された第２操作部材６２１５が押釦スイッチ６１２の押釦を押すことにより、押釦スイッチ６１２がオンする。さらに、突台部６２１０は、その下面における第１操作部材６２１４と第２操作部材６２１５の間に、２つの円形の窓６２１６、６２１７を有している。前方の窓６２１６は、上下方向において第２回路ブロック６１の受光素子６１４と対向している。後方の窓６２１７は、上下方向において第２回路ブロック６１の表示素子６１３と対向している。つまり、リモートコントローラから送信される制御信号は、前方の窓６２１６を通して受光素子６１４に到達する。また、表示素子６１３が発する光（緑色光）は、後方の窓６２１７を通して筐体６２の外に放射される。
【００４９】
また、第２筐体６２１は、右端に３つの開口部６２１１、６２１２、６２１３を有している。これら３つの開口部６２１１、６２１２、６２１３は、前後方向に沿って一列に並んでいる（図１０参照）。前端の開口部６２１１は、第１回路ブロック６０の受け側コネクタ６４と対向している。後端の開口部６２１３は、入力端子台６０３が挿通される。中央の開口部６２１２は、出力コネクタ６０２と対向している（図９参照）。
【００５０】
放熱板６３は、非常用光源ユニット４が取り付けられる取付部６３０と、一対の脚部６３１と、一対の固定部６３２とを有している（図１０参照）。取付部６３０は、おおよそ台形状に形成されている。一対の脚部６３１は、平坦な板状に形成されて取付部６３０の前端及び後端から上方へ突出している。一対の固定部６３２は、一対の脚部６３１の上端から前後方向に沿って互いに近付く向きに突出している。ただし、取付部６３０と一対の脚部６３１と一対の固定部６３２とは、アルミ又はアルミ合金製の板材によって一体に形成されることが好ましい。
【００５１】
放熱板６３は、図９に示すように、取付部６３０を第２筐体６２１の下面に対向させ、一対の脚部６３１を第２筐体６２１の前面及び後面に対向させ、一対の固定部６３２を第１筐体６２０の底部６２００の上面に引っ掛けるようにして筐体６２に取り付けられる。また、放熱板６３は、一対の脚部６３１に設けられている矩形の嵌合孔６３３のそれぞれに、第２筐体６２１の上面及び下面の上端から突出する突部６２１８を嵌合させることによって筐体６２に対して位置決めされている（図９及び図１０参照）。
【００５２】
非常用光源ユニット４は、放熱板６３の取付部６３０に設けられているねじ孔６３００に対して、２本の取付ねじ４５でホルダ４１がねじ止めされることによって取付部６３０に取り付けられている（図７〜図１０参照）。また、非常用光源ユニット４は、第２筐体６２１の中央の開口部６２１２から露出する出力コネクタ６０２にホルダ４１の端子板保持部４１０が差込接続されることにより、制御装置６の第１回路ブロック６０と電気的に接続される（図８参照）。さらに、ＬＥＤモジュール４０は、放熱シート４３を介して放熱板６３の取付部６３０と熱的に結合される（図８参照）。
【００５３】
制御装置６は、器具本体１０内の左端に収容される（図１２参照）。制御装置６は、放熱板６３の一対の固定部６３２が天板１１にねじ止めされることによって器具本体１０に固定されることが好ましい。ゆえに、ＬＥＤモジュール４０が発する熱は、放熱シート４３から放熱板６３に伝導され、さらに、放熱板６３から器具本体１０に伝導されて放熱される。
【００５４】
押さえ具８は、図１３Ａ及び図１３Ｂに示すように、主片８０と、引掛片８１と、側片（突出部材）８２と、第１差込片８３と、第２差込片８４と、第３差込片８５とを有している。なお、主片８０、引掛片８１、側片８２、第１差込片８３、第２差込片８４及び第３差込片８５は、金属板によって一体に形成されることが好ましい。
【００５５】
主片８０は、下方から見てＬ字状に形成されている。主片８０は、雌ねじ部８００（図７参照）を有している。
【００５６】
引掛片８１は、円弧状に湾曲した湾曲部（接触部）８１０と、湾曲部８１０と主片８０とを連結する連結部８１１と、湾曲部８１０の下端から突出する矩形の平坦部８１２とを有している。引掛片８１は、連結部８１１によって主片８０の左端の下部と連結されている。引掛片８１は、弾性を有しており、連結部８１１が厚み方向に撓むことにより、湾曲部８１０を左右方向に変位可能とするように構成されている。つまり、引掛片８１は、主片８０に対して変位可能となるように主片８０に設けられている。本実施形態では、引掛片８１は、非常用電源ユニット５側に突出する凸形状を有する板ばねである。
【００５７】
図１に示すように、湾曲部８１０は、押さえ具８が器具本体１０に収容されたときに、器具本体１０のうちの制御装置６と押さえ具８との間の空間に配置された非常用電源ユニット５に接触する。より詳細には、湾曲部８１０は、非常用電源ユニット５が器具本体１０に配置されたときに、非常用電源ユニット５の突部５２４に接触する。引掛片８１は、非常用電源ユニット５の突部５２４を器具本体１０に押し付けることによって非常用電源ユニット５を支持する。つまり、押さえ具８は、器具本体１０に収容された非常用電源ユニット５を支持する位置と非常用電源ユニット５の支持を開放する位置との間を、弾性変形によって変位する。
【００５８】
側片８２は、図１３Ａ及び図１３Ｂに示すように、矩形状に形成されており、主片８０の後端から下向き及び左向きに突出している。側片８２は、押さえ具８が器具本体１０に取り付けられたときに、器具本体１０の天板１１と開口部１５とが対向する方向に沿って天板１１から突出する突出部材である。つまり、側片８２は、押さえ具８が器具本体１０に取り付けられたときに、非常用電源ユニット５の取付方向に沿って突出している。側片８２は、基部８２１と、側片８２の下部である先端部８２２とを有している。基部８２１は、主片８０と先端部８２２とを連結している。先端部８２２は、基部８２１の下端（先端）から後方（外側）に向かって傾斜している。基部８２１と先端部８２２は一体に形成されている。側片８２は、主片８０のうち引掛片８１とは異なる位置において主片８０に連結されている。
【００５９】
第１差込片８３及び第２差込片８４は、前後方向から見てＬ字状に形成されている（図５Ｂ及び図１３Ａ参照）。なお、第２差込片８４は、主片８０に切り起こし形成されることが好ましい。第３差込片８５は、前後方向から見てＬ字状に形成されている（図５Ｂ及び図１３Ａ参照）。第３差込片８５は、側片８２の左端の上端から上方へ突出している（図１３Ａ参照）。
【００６０】
押さえ具８は、器具本体１０の天板１１を貫通する３つの孔に第１差込片８３、第２差込片８４及び第３差込片８５が一対一に対応して差し込まれ、第１差込片８３、第２差込片８４及び第３差込片８５のそれぞれが主片８０と天板１１を挟むように構成されている。そして、押さえ具８は、天板１１に設けられるねじ挿通孔に挿通されたねじが主片８０の雌ねじ部８００にねじ込まれることによって天板１１の下面に取り付けられる（図１２参照）。
【００６１】
ここで、非常用電源ユニット５の器具本体１０への取り付けについて説明する。図１、図１２及び図１４に示すように、非常用電源ユニット５、制御装置６及び押さえ具８は、器具本体１０の長手方向（一の方向）に並んで器具本体１０に取り付けられる。非常用電源ユニット５は、器具本体１０の天板１１に取り付けられた制御装置６と押さえ具８との間に配置される。
【００６２】
まず、図１４に示すように、非常用電源ユニット５が取り付けられる前に、制御装置６及び押さえ具８が器具本体１０に取り付けられる。制御装置６と押さえ具８との間には、非常用電源ユニット５が配置されるための空間が設けられている。
【００６３】
非常用電源ユニット５は、ケースボディ５２を天板１１に対向させた状態で器具本体１０内の制御装置６と押さえ具８との間の空間に収容される。作業者は、非常用電源ユニット５の突出部５１１を掴むことによって、非常用電源ユニット５を器具本体１０内に収容させる。このとき、押さえ具８の側片８２がガイドすることによって、非常用電源ユニット５は、器具本体１０の短手方向における位置合わせをしながら天板１１側に近づけることができる。最初は、外側に傾斜している先端部８２２によって、おおよその位置合わせをし、その後、基部８２１によって、より正確な位置合わせを行う。
【００６４】
非常用電源ユニット５の端子保持部５２７は、第２筐体６２１の前端の開口部６２１１（図１０参照）を通して筐体６２内に挿入される。このとき、端子保持部５２７のガイド片５２７１が、第２筐体６２１の前面の右端に設けられているガイド溝６２１９に案内される（図７参照）。そして、非常用電源ユニット５の第１コンタクト５７（図１１参照）が、制御装置６の第１コンタクト受け６４１（図１０参照）と電気的に接続される。また、非常用電源ユニット５の第２コンタクト５８（図１１参照）が、制御装置６の第２コンタクト受け６４２（図１０参照）と電気的に接続される。これにより、非常用電源ユニット５のコネクタ５９（図１１参照）が制御装置６の受け側コネクタ６４（図１０参照）に電気的に接続される。
【００６５】
さらに、図１に示すように、非常用電源ユニット５の突部５２４が、押さえ具８の引掛片８１の湾曲部８１０を乗り越えて湾曲部８１０と器具本体１０の天板１１との間に位置する。非常用電源ユニット５の突部５２４が押さえ具８の引掛片８１の湾曲部８１０を乗り越えると、湾曲部８１０が突部５２４に引っ掛かる。押さえ具８の引掛片８１は、器具本体１０の長手方向において、非常用電源ユニット５を挟んで非常用電源ユニット５のコネクタ５９の反対側で非常用電源ユニット５の突部５２４を器具本体１０に押し付けることによって、非常用電源ユニット５を支持する。より詳細には、押さえ具８は、上記長手方向において、非常用電源ユニット５のコネクタ５９と対角の位置で非常用電源ユニット５を器具本体１０に押し付けて支持している。非常用電源ユニット５は、突出部５１１を器具本体１０の開口部１５から突出させた状態で器具本体１０に取り付けられる。
【００６６】
なお、非常用電源ユニット５は、非常用電源ユニット５の突部５２４が押さえ具８の湾曲部８１０を乗り越えることによって、器具本体１０に取り付けられることには限定されない。非常用電源ユニット５は、突部５２４を湾曲部８１０と器具本体１０の天板１１との間に潜り込ませてから、コネクタ５９を受け側コネクタ６４に接続することによって、器具本体１０に取り付けられてもよい。
【００６７】
次に、非常用電源ユニット５の器具本体１０からの取り外しについて説明する。図１に示すように押さえ具８が非常用電源ユニット５を支持している状態において、引掛片８１は、平坦部８１２に加えられる力によって連結部８１１が撓むと、湾曲部８１０が右向きに変位して湾曲部８１０と突部５２４との引っ掛かりが解除される。このとき、作業者は、非常用電源ユニット５の突出部５１１を掴むことによって、非常用電源ユニット５を器具本体１０から取り外す。
【００６８】
非常用電源ユニット５は、湾曲部８１０と突部５２４との引っ掛かりが解除された状態で下向き（図１では上向き）に引っ張られると、第１コンタクト５７及び第２コンタクト５８が第１コンタクト受け６４１及び第２コンタクト受け６４２から引き抜かれる。つまり、非常用電源ユニット５のコネクタ５９が制御装置６の受け側コネクタ６４から取り外される。
【００６９】
上記より、作業者は、非常用電源ユニット５の器具本体１０への取付作業とほぼ同時に非常用電源ユニット５と制御装置６との電気的な接続作業を完了させることができる。また、作業者は、非常用電源ユニット５の器具本体１０からの取り外し作業とほぼ同時に非常用電源ユニット５と制御装置６との電気的な接続解除作業を完了させることができる。
【００７０】
カバー７は、図４に示すように、第１カバー７１と第２カバー７２とを備えている。第１カバー７１と第２カバー７２は、前後方向から見てＬ字状に形成されている長尺の連結体７３によって左右方向に並ぶように連結されている。なお、第１カバー７１、第２カバー７２及び連結体７３は、金属のような不燃性の材料によって一体に形成されることが好ましい。例えば、カバー７は、アルミダイカストで構成されることが好ましい。ただし、カバー７は、金属以外の不燃性の材料、例えば、セラミックスなどで構成されてもよい。
【００７１】
第１カバー７１は、上面が開口する箱形に形成されている。第１カバー７１の下面は、常用照明装置２の透光カバー２０と同様に、短手方向（前後方向）において両端から中央に向かってなだらかに下向きに突出する曲面形状に形成されている（図４及び図７参照）。図５Ａ〜図５Ｃに示すように、第１カバー７１の下面に凹部７１０が形成されている。凹部７１０は、下方から見た形状が楕円形に形成されている（図５Ａ参照）。凹部７１０の中央（底）に孔７１１が貫通している。孔７１１は、レンズ４４のレンズ本体４４０が挿通可能な形状（楕円形状）に形成されている。凹部７１０は、その長軸方向（左右方向）の両端を、その短軸方向（前後方向）の両端よりも下方へ突出させるように形成されている（図５Ｂ参照）。
【００７２】
第１カバー７１は、その下面における左端に４つの貫通孔（第１貫通孔７１２、第２貫通孔７１３、第３貫通孔７１４、第４貫通孔７１５）を有している（図５Ａ及び図７参照）。第１貫通孔７１２、第２貫通孔７１３、第３貫通孔７１４及び第４貫通孔７１５は、前方から後方に向かって１列に並ぶように配置されている。
【００７３】
第１カバー７１は、その上面における左端に２つの引掛部７１６を有している（図６Ａ参照）。引掛部７１６は、前後方向から見てＬ字状に形成されている（図６Ｂ参照）。また、引掛部７１６は、その先端（左端）に近付くにつれて上方へ傾斜するように構成されている（図６Ｂ参照）。
【００７４】
第２カバー７２は、図７に示すように、平坦部７２０と、腕部７２１と、固定部７２２とを有している。平坦部７２０は、おおよそ矩形平板状に形成されている。平坦部７２０は、その左端において連結体７３と連結されている。腕部７２１は、おおよそ矩形平板状に形成されている。腕部７２１は、平坦部７２０の右端における前端から上方へ立ち上がるように構成されている。固定部７２２は、おおよそ矩形平板状に形成されている。固定部７２２は、腕部７２１の上端から右方へ突出するように構成されている。また、固定部７２２は、その前方寄りの右隅に円形のねじ挿通孔７２３を有している。
【００７５】
カバー７は、図５Ａ〜図５Ｃに示すように、第１カバー７１によって非常用光源ユニット４、制御装置６及び非常用電源ユニット５の一部（左端部）を下から覆い、第２カバー７２によって非常用電源ユニット５の残り全部を下から覆うように構成されている。非常用光源ユニット４のレンズ本体４４０は、第１カバー７１の孔７１１に挿通されてカバー７の外に露出する。第１操作部材６２１４は、第１カバー７１の第１貫通孔７１２と対向している（図５Ａ参照）。第１操作部材６２１４は、第１貫通孔７１２に挿通される治具によって押操作される。第２操作部材６２１５は、第１カバー７１の第４貫通孔７１５に挿通されている（図６Ｂ参照）。第２操作部材６２１５は、例えば、人の指によって押操作される。第１カバー７１の第２貫通孔７１３は、制御装置６の受光素子６１４と対向している（図５Ａ参照）。また、第１カバー７１の第３貫通孔７１４は、制御装置６の表示素子６１３と対向している（図５Ａ参照）。つまり、リモートコントローラから送信される制御信号は、第２貫通孔７１３を通して受光素子６１４に到達する。また、表示素子６１３が発する光（緑色光）は、第３貫通孔７１４を通してカバー７の外に放射される。
【００７６】
カバー７は、第１カバー７１の一対の引掛部７１６と、第２カバー７２の固定部７２２とで器具本体１０に固定される。一対の引掛部７１６は、器具本体１０の左側の第２側板１３の下端から右方に突出する突片１３０に引っ掛けられる（図１２参照）。固定部７２２は、器具本体１０の天板１１にねじ止めされる。固定部７２２をねじ止めするためのねじは、固定部７２２のねじ挿通孔７２３と、押さえ具８の主片８０に設けられたねじ挿通孔８０１とに挿通された後、器具本体１０の天板１１に設けられている雌ねじにねじ込まれる（図１２参照）。
【００７７】
なお、押さえ具８の側片８２は、押さえ具８の残りの部分と一体に形成されていることには限定されず、押さえ具８の残りの部分とは別体に形成されていてもよい。例えば、側片８２は、引掛片８１とは別体に形成されていてもよい。
【００７８】
押さえ具８の引掛片８１は、円弧状に湾曲した湾曲部８１０に代えて、断面Ｖ字状に形成された接触部を有していてもよい。このような接触部であっても、突部５２４を引っ掛けることが可能であり、押さえ具８は、非常用電源ユニット５を器具本体１０に押さえ付けて支持することができる。
【００７９】
押さえ具８の引掛片８１は、非常用電源ユニット５の突部５２４に引っ掛かるのではなく、ケース５１のうちの突部５２４とは異なる部分に引っ掛かるように構成されていてもよい。
【００８０】
なお、非常用電源ユニットは、器具本体と非常用光源ユニットとの間に収容されてもよい。このような場合であっても、非常用電源ユニットが、器具本体の開口部から器具本体の外へ突出する突出部を備えることによって、非常用電源ユニットを器具本体に取り付けたり、器具本体から取り外したりする作業を容易に行うことができる。作業者は、突出部を掴むことによって、非常用電源ユニットを、器具本体の長手方向において器具本体と非常用光源ユニットとの間の位置へ押し込んだり、器具本体と非常用光源ユニットとの間の位置から器具本体の長手方向に引っ張り出したりすることができる。
【００８１】
非常用電源ユニット５のコネクタ５９は、天板１１と開口部１５とが対向する方向において、制御装置６の受け側コネクタ６４と挿抜されることには限定されない。例えば、非常用電源ユニット５のコネクタは、器具本体１０の長手方向において制御装置６の受け側コネクタに挿抜されるようにしてもよい。
【００８２】
以上説明した本実施形態に係る照明器具１は、常用照明装置２と、非常用照明装置３と、器具本体１０とを備える。常用照明装置２は、常用照明を行う。非常用照明装置３は、非常用照明を行う。器具本体１０は、常用照明装置２及び非常用照明装置３を収容する。非常用照明装置３は、非常用光源ユニット４と、非常用電源ユニット５と、支持部材（押さえ具８）とを含む。非常用電源ユニット５は、非常用光源ユニット４を点灯するための電力を蓄える蓄電池５０を有する。支持部材は、弾性を有し、器具本体１０に収容された非常用電源ユニット５を支持する位置と非常用電源ユニット５の支持を開放する位置との間を、弾性変形によって変位する。
【００８３】
本実施形態に係る照明器具１では、弾性を有する支持部材（押さえ具８）が非常用電源ユニット５を支持する。これにより、非常用電源ユニット５を器具本体１０内で安定に支持することができる。
【００８４】
本実施形態に係る照明器具１において、器具本体１０は、取付部（天板１１）と、開口部１５とを有することが好ましい。取付部には、非常用電源ユニット５が取り付けられている。開口部１５は、取付部と対向する位置に形成されている。非常用照明装置３は、取付部と開口部１５とが対向する方向に沿って取付部から突出する突出部材（側片８２）を更に備えることが好ましい。
【００８５】
本実施形態に係る照明器具１では、非常用電源ユニット５の取付部（天板１１）と開口部１５とが対向する方向に沿って突出部材（側片８２）が突出する。これにより、非常用電源ユニット５を器具本体１０に取り付ける際に非常用電源ユニット５を突出部材に沿ってガイドすることができる。
【００８６】
本実施形態に係る照明器具１において、突出部材（側片８２）は、基部８２１と、先端部８２２とを有することが好ましい。先端部８２２は、基部８２１の先端から外側に向かって傾斜することが好ましい。
【００８７】
本実施形態に係る照明器具１では、突出部材（側片８２）の先端部８２２が外側に傾斜して設けられている。これにより、非常用電源ユニット５を取り付ける際に非常用電源ユニット５をより簡単にガイドすることができる。
【００８８】
本実施形態に係る照明器具１において、非常用電源ユニット５及び支持部材（押さえ具８）は、器具本体１０において隣接して配置されていることが好ましい。支持部材は、非常用電源ユニット５側に突出する凸形状を有する板ばねであることが好ましい。
【００８９】
本実施形態に係る照明器具１において、器具本体１０は、取付部（天板１１）と、開口部１５とを有することが好ましい。取付部には、非常用電源ユニット５が取り付けられている。開口部１５は、取付部と対向する位置に形成されている。非常用電源ユニット５は、突部５２４を含むことが好ましい。突部５２４は、器具本体１０に非常用電源ユニット５が取り付けられたときに取付部と開口部１５との間に位置する。支持部材（押さえ具８）は、突部５２４に接触することによって非常用電源ユニット５を支持することが好ましい。
【００９０】
本実施形態に係る照明器具１では、器具本体１０の取付部（天板１１）と開口部１５との間に位置する突部５２４に接触することにより、支持部材（押さえ具８）が開口部１５から外側に出ることなく、非常用電源ユニット５を支持することができる。
【００９１】
本実施形態に係る照明器具１において、支持部材（押さえ具８）は、主片８０と、引掛片８１とを有することが好ましい。引掛片８１は、主片８０に対して変位可能となるように主片８０に設けられている。引掛片８１は、接触部（湾曲部８１０）と、連結部８１１とを有することが好ましい。接触部は、器具本体１０に配置された非常用電源ユニット５に接触する。連結部８１１は、接触部と主片８０とを連結する。
【００９２】
本実施形態に係る照明器具１において、非常用照明装置３は、制御装置６を更に含むことが好ましい。制御装置６は、蓄電池５０から放電される電力で非常用光源ユニット４を点灯する。非常用電源ユニット５及び制御装置６は、器具本体１０の一の方向に並んで器具本体１０に収容されていることが好ましい。非常用電源ユニット５は、制御装置６と電気的に接続するためのコネクタ５９を有することが好ましい。支持部材（押さえ具８）は、上記一の方向において、非常用電源ユニット５を挟んでコネクタ５９の反対側で非常用電源ユニット５を支持することが好ましい。
【００９３】
本実施形態に係る照明器具１では、非常用電源ユニット５を挟んでコネクタ５９の反対側で支持部材（押さえ具８）が非常用電源ユニット５を支持する。これにより、支持部材とコネクタ５９の接続強度とによって非常用電源ユニット５を強固に支持することができる。
【００９４】
本実施形態に係る照明器具１において、支持部材（押さえ具８）は、上記一の方向において、非常用電源ユニット５のコネクタ５９と対角の位置で非常用電源ユニット５を支持することが好ましい。
【００９５】
本実施形態に係る照明器具１では、対角上で非常用電源ユニット５を支持することができるので、非常用電源ユニット５をより強固に支持することができる。
【符号の説明】
【００９６】
１  照明器具
１０  器具本体
１１  天板（取付部）
１５  開口部
２  常用照明装置
３  非常用照明装置
４  非常用光源ユニット
５  非常用電源ユニット
５０  蓄電池
５２４  突部
５９  コネクタ
６  制御装置
８  押さえ具（支持部材）
８０  主片
８１  引掛片
８１０  湾曲部（接触部）
８１１  連結部
８２  側片（突出部材）
８２１  基部
８２２  先端部
【図１】
2018110062.tif 000003
【図２】
2018110062.tif 000004
【図３】
2018110062.tif 000005
【図４】
2018110062.tif 000006
【図５】
2018110062.tif 000007
【図６】
2018110062.tif 000008
【図７】
2018110062.tif 000009
【図８】
2018110062.tif 000010
【図９】
2018110062.tif 000011
【図１０】
2018110062.tif 000012
【図１１】
2018110062.tif 000013
【図１２】
2018110062.tif 000014
【図１３】
2018110062.tif 000015
【図１４】
2018110062.tif 000016